(57)【要約】  転動面上でのタイヤの転動により、前記タイヤのクラウン領域の一部分が受ける半径方向加速度を表す加速度信号から、タイヤと水の層との相互作用を表す部分での半径方向加速度の一次導関数の傾向線が求められる。半径方向加速度の一次導関数の傾向線から、タイヤと水の層との間の相互作用を表す部分における一次導関数の第１の極大点と第２の極大点との間の比較に基づいて、タイヤのアクアプレーン状態を表す少なくとも１つの第１のパラメータが求められる。
2021507843.tif 000002
【特許請求の範囲】
【請求項１】
車両に取り付けたタイヤ（１）のアクアプレーン状態を信号で通知する方法であって、
−前記タイヤ（１）を転動面（５）上で転動させるように前記車両を動作させ、前記転動面（５）は水の層（６）を含むことと、
−前記転動面（５）上での前記タイヤ（１）の転動により、前記タイヤ（１）のクラウン領域の一部分（４）が受ける半径方向加速度を表す加速度信号を取得し、前記加速度信号は、前記タイヤ（１）と前記水の層（６）との間の相互作用を表す少なくとも１つの部分を含むことと、
−前記相互作用を表す前記部分での前記半径方向加速度の一次導関数の傾向線を求めるために、前記加速度信号を処理することと、
−前記相互作用を表す前記部分での前記一次導関数の第１の極大点と第２の極大点との間の比較に基づいて、前記タイヤのアクアプレーン状態を表す少なくとも１つの第１のパラメータを求めることと、
−前記少なくとも１つの第１のパラメータに応じて、前記アクアプレーン状態の通知信号（ＳＮ）を生成することと、
を含む方法。
【請求項２】
前記加速度信号を処理することは、フィルタ処理した加速度信号を生成するように、所定の周波数よりも低い周波数で、前記加速度信号をフィルタ処理することを含む、請求項１に記載の方法。
【請求項３】
前記加速度信号を処理することは、
−前記加速度信号の調和分解から、高調波のうちの所定の閾値よりも低い次数の部分を選択することと、
−高調波の前記選択した部分の調和合成によって、フィルタ処理した加速度信号を生成することと、
を含む、請求項１又は２に記載の方法。
【請求項４】
前記加速度信号を処理することは、前記一次導関数の前記傾向線を求めるように、前記フィルタ処理した加速度信号の傾きを計算することを含む、請求項２又は３に記載の方法。
【請求項５】
前記少なくとも１つの第１のパラメータを１つ又は複数の所定の閾値（ＴＲ１，…ＴＲｎ）と比較することと、前記少なくとも１つの第１のパラメータと前記１つ又は複数の所定の閾値（ＴＲ１，…Ｔｒｎ）との間の前記比較に基づいて、前記通知信号（ＳＮ）を生成することと、をさらに含む、請求項１〜４のいずれか一項に記載の方法。
【請求項６】
前記少なくとも１つの第１のパラメータを求めることは、前記相互作用を表す前記部分において、前記一次導関数の前記傾向線の絶対極小点の位置を特定することを含む、請求項１〜５のいずれか一項に記載の方法。
【請求項７】
前記少なくとも１つの第１のパラメータを求めることは、前記相互作用を表す前記部分において、前記一次導関数の前記絶対極小点の前記位置のすぐ前に位置する２つの極大点として、前記第１および第２の極大点を特定することを含む、請求項６に記載の方法。
【請求項８】
−前記タイヤと前記水の層との間の前記相互作用を表す前記少なくとも１つの部分における前記半径方向加速度の平均を表す少なくとも１つの第２のパラメータを求めるために、前記加速度信号を処理することと、
−前記少なくとも１つの第２のパラメータに応じて、前記アクアプレーン状態の前記通知信号（ＳＮ）を生成することと、
をさらに含む、請求項１〜７のいずれか一項に記載の方法。
【請求項９】
タイヤを装備した車両を制御する方法であって、
−請求項１〜８のいずれか一項に記載の方法に従って生成されたアクアプレーン状態の通信信号（ＳＮ）を受け取ることと、
−前記通知信号（ＳＮ）に基づいて、少なくとも１つの車両制御システムを作動させることと、
を含む方法。
【請求項１０】
前記少なくとも１つの車両制御システムは、前記車両の横滑り防止システム及び／又は前記車両のトラクションコントロールシステムを含む、請求項９に記載の方法。
【請求項１１】
車両に取り付けたタイヤ（１）のアクアプレーン状態を信号で通知するシステムであって、
−前記タイヤ（１）のクラウン領域の一部分に固定された検出装置（３）であって、前記タイヤ（１）が転動面（５）上を転動するときに、クラウン領域の前記部分が受ける半径方向加速度を測定するのに適した加速度計を含む検出装置（３）と、
−前記半径方向加速度を表す加速度信号を処理して、
ａ）前記加速度信号のうちの前記タイヤ（１）と前記転動面（５）にある水の層（６）との間の相互作用を表す部分と、
ｂ）前記半径方向加速度の一次導関数の傾向線と、
ｃ）前記相互作用を表す前記部分での前記一次導関数の第１の極大点と第２の極大点との間の比較に基づいて、前記タイヤ（１）のアクアプレーン状態を表す少なくとも１つの第１のパラメータと、
を求めるようにプログラムを組み込まれた少なくとも１つの処理モジュールと、
−前記少なくとも１つの第１のパラメータに応じて、前記アクアプレーン状態の通知信号（ＳＮ）を生成するのに適した少なくとも１つの通知モジュールと、
を含むシステム。
【請求項１２】
前記少なくとも１つの処理モジュールは、フィルタ処理した加速度信号を生成するために、所定の周波数よりも低い周波数で、前記加速度信号をフィルタ処理するようにさらにプログラムを組み込まれる、請求項１１に記載のシステム。
【請求項１３】
前記少なくとも１つの処理モジュールは、
−前記加速度信号の調和分解から、高調波のうちの、高調波の所定の閾値よりも低い次数の部分を選択することと、
−高調波の前記選択した部分の調和合成を通じて、フィルタ処理した加速度信号を生成することと、
のために、前記加速度信号を処理するようにさらにプログラムを組み込まれる、請求項１１又は１２に記載のシステム。
【請求項１４】
前記少なくとも１つの処理モジュールは、前記一次導関数の前記傾向線を求めるために、前記フィルタ処理した加速度信号の傾きを計算するようにさらにプログラムを組み込まれる、請求項１２又は１３に記載のシステム。
【請求項１５】
前記少なくとも１つの処理モジュールは、前記少なくとも１つの第１のパラメータを１つ又は複数の所定の閾値（ＴＲ１，…ＴＲｎ）と比較するようにさらにプログラムを組み込まれ、前記少なくとも１つの通知モジュールは、前記少なくとも１つの第１のパラメータと前記１つ又は複数の所定の閾値（ＴＲ１，…ＴＲｎ）との間の比較に基づいて、前記通知信号（ＳＮ）を生成するのに適する、請求項１１〜１４のいずれか一項に記載のシステム。
【請求項１６】
前記少なくとも１つの処理モジュールは、前記相互作用を表す前記部分において、前記一次導関数の前記傾向線の絶対極小点の位置を特定することで、前記少なくとも１つの第１のパラメータを求めるようにさらにプログラムを組み込まれる、請求項１１〜１５のいずれか一項に記載のシステム。
【請求項１７】
前記少なくとも１つの処理モジュールは、前記相互作用を表す前記部分において、前記一次導関数の前記絶対極小点の前記位置のすぐ前に位置する２つの極大点として、前記第１および前記第２の極大点を特定することで、前記少なくとも１つの第１のパラメータを求めるようにプログラムを組み込まれる、請求項１６に記載のシステム。
【請求項１８】
前記少なくとも１つの処理モジュールは、前記タイヤと前記水の層との間の前記相互作用を表す前記少なくとも１つの部分における前記半径方向加速度の平均を表す少なくとも１つの第２のパラメータを求めるようにさらにプログラムを組み込まれ、前記少なくとも１つの通知モジュールは、前記少なくとも１つの第２のパラメータに応じて、前記アクアプレーン状態の前記通知信号（ＳＮ）を生成するのにさらに適する、請求項１１〜１７のいずれか一項に記載のシステム。
【請求項１９】
タイヤを装備した車両であって、
−請求項１１〜１８のいずれか一項に記載の１つ又は複数の前記タイヤのアクアプレーン状態を信号で通知するシステムと、
−少なくとも１つの車両制御システムと、
−アクアプレーン状態に関する前記通知信号（ＳＮ）を受け取るのに適した少なくとも１つの受信モジュールと、
−前記通知信号（ＳＮ）に基づいて、前記少なくとも１つの車両制御システムを作動させるように構成された少なくとも１つの作動モジュールと、
を含む車両。
【請求項２０】
前記少なくとも１つの車両制御システムは、前記車両の横滑り防止システム及び／又は前記車両のトラクションコントロールシステムを含む、請求項１９に記載の車両。
【発明の詳細な説明】
【技術分野】
【０００１】
発明の分野
本発明は、車両に取り付けたタイヤのアクアプレーン状態を信号で通知する方法及びシステムに関する。本発明はまた、車両を制御する方法に関する。本発明はまた、アクアプレーン状態を信号で通知するシステムを含む車両に関する。
【背景技術】
【０００２】
技術情勢
これに関連して、アクアプレーンとは、タイヤと地面（又は、より一般的には、タイヤの転動面）との間に水の層があるために、タイヤが方向性を失い、そのため、タイヤが取り付けられた車両の運転者が、車両自体の軌道を変えようとした場合でさえ、タイヤが、車両の軌道を変えることなく、慣性によって実質的に決まる方向に引き続き従う状態を意味する。
【０００３】
アクアプレーン状態は、接地領域でのトレッドのチャネル及び／又は溝の中の水の排水及び放出が不十分になったときに発生し、そのため、タイヤが密着性をなくす。
【０００４】
したがって、接地領域でタイヤが地面から離れ、その結果、方向性とタイヤ自体によるトラクションとがなくなる。
【０００５】
より具体的には、かなりの水の層が存在する場合に、タイヤは、タイヤと転動面との間の通常の相互作用の状態と比較して変形する傾向がある。
【０００６】
この変形により、特に、接地領域の面積が小さくなり、その結果、タイヤと転動面との間の密着性が低下する。
【０００７】
アクアプレーン現象は、きわめて危険なことがあり、その理由は、そのような状態では、運転者は、車両の制御を実質的にできなくなり、運転者は、もはや道路をたどって進むこと、障害物を避けることなどができない。
【０００８】
文献、国際公開第２０１０／０４６８７１号、米国特許第５５０２４３３号、米国特許第５７２３７６８号、米国特許出願公開第２００８／０２４５４５５号、米国特許出願公開第２００８／０２４５４５６号、米国特許出願公開第２０１６／０２６４１０９号は、タイヤのアクアプレーン状態を検出する方法／システムに関する。
【発明の概要】
【発明が解決しようとする課題】
【０００９】
発明の概要
本出願人は、水の層が薄い（例えば、１〜３ｍｍ）場合に、アクアプレーン現象の発生を検出するのは困難であることを検証した。これらの状態では、乾燥面でのタイヤの走行状態と比較した、タイヤが受ける変形は、センサがタイヤのクラウン部分に配置された場合でも認知できない。したがって、前述の文献に記載された方法では、アクアプレーン現象の発生の検出に限界があり、これらの方法は、十分に先行して車両制御システム（例えば、安定性制御システム）を調整する、又は作動させることができない。
【課題を解決するための手段】
【００１０】
しかし、本出願人は、水の層が薄い場合でさえ、タイヤのクラウン部分に配置された加速度測定センサが発した信号の特定の解析を用いて、アクアプレーン現象の発生を検出するのが可能であることを発見した。
【００１１】
第１の態様によれば、本発明は、車両に取り付けたタイヤのアクアプレーン状態を信号で通知する方法に関する。
【００１２】
第２の態様によれば、本発明は、タイヤを装備した車両を制御する方法に関する。
【００１３】
第３の態様によれば、本発明は、車両に取り付けたタイヤのアクアプレーン状態を信号で通知するシステムに関する。
【００１４】
第４の態様によれば、本発明は、タイヤを装備した車両に関する。
【００１５】
本発明において、タイヤの「アクアプレーン状態」とは、タイヤが通過する水の層が存在するために、タイヤが少なくとも部分的に密着性をなくす状態を意味する。アクアプレーン状態は、部分的であることもあるし、又は全体的（又はフルアクアプレーン）であることもあり、後者の場合、タイヤは方向性を完全に失い、一方、最初の場合に、タイヤは、接地領域の少なくとも一部を転動面と接触した状態に維持し、したがって、少なくとも一部において、転動面自体と相互作用する能力を維持する。
【００１６】
本発明は、前述の態様の１つ又は複数において、以下の好ましい特徴の１つ又は複数を提供することができる。
【００１７】
車両は、タイヤを転動面上で転動させるように動作し、前記転動面は水の層を含む。
【００１８】
好ましくは、前記転動面上での前記タイヤの転動により、前記タイヤのクラウン領域の一部分が受ける半径方向加速度を表す加速度信号を取得すると規定される。加速度信号は、前記タイヤと前記水の層との間の相互作用を表す少なくとも１つの部分を含む。
【００１９】
好ましくは、前記相互作用を表す前記部分での前記半径方向加速度の一次導関数の傾向線（trend）を求めるために、前記加速度信号を処理すると規定される。
【００２０】
好ましくは、前記相互作用を表す前記部分での前記一次導関数の第１の極大点と第２の極大点との間の比較に基づいて、前記タイヤのアクアプレーン状態を表す少なくとも１つの第１のパラメータを求めると規定される。
【００２１】
好ましくは、前記少なくとも１つの第１のパラメータに応じて、前記アクアプレーン状態の通知信号を生成すると規定される。
【００２２】
好ましくは、前記タイヤのクラウン領域の一部分に固定された検出装置が設けられる。検出装置は、前記タイヤが転動面上を転動するときに、クラウン領域の前記部分が受ける半径方向加速度を測定するのに適した加速度計を含む。
【００２３】
好ましくは、前記半径方向加速度を表す加速度信号を処理するようにプログラムを組み込まれた少なくとも１つの処理モジュールが設けられる。
【００２４】
好ましくは、前記少なくとも１つの処理モジュールは、前記加速度信号のうちの前記タイヤと前記転動面にある水の層との間の相互作用を表す部分を求めるために、前記加速度信号を処理するようにプログラムを組み込まれる。
【００２５】
好ましくは、前記少なくとも１つの処理モジュールは、前記半径方向加速度の一次導関数の傾向線を求めるために、前記加速度信号を処理するようにプログラムを組み込まれる。
【００２６】
好ましくは、前記少なくとも１つの処理モジュールは、前記相互作用を表す前記部分での前記一次導関数の第１の極大点と第２の極大点との間の比較に基づいて、前記タイヤのアクアプレーン状態を表す少なくとも１つの第１のパラメータを求めるために、前記加速度信号を処理するようにプログラムを組み込まれる。
【００２７】
好ましくは、前記少なくとも１つの第１のパラメータに応じて、前記アクアプレーン状態の通知信号を生成するのに適した少なくとも１つの通知モジュールが設けられる。
【００２８】
好ましくは、前記加速度信号の処理は、フィルタ処理した加速度信号を生成するために、所定の周波数よりも低い周波数で、前記加速度信号をフィルタ処理することを含むことができる。
【００２９】
或いは、前記加速度信号の処理は、前記加速度信号の調和分解から、高調波のうちの、高調波の所定の閾値よりも低い次数の部分を選択することを含むことができる。
【００３０】
前記加速度信号の処理はまた、高調波の前記選択した部分の調和合成を通じて、フィルタ処理した加速度信号を生成することを含むことができる。
【００３１】
好ましくは、前記加速度信号の処理は、前記一次導関数の前記傾向線を求めるために、前記フィルタ処理した加速度信号の傾きを計算することを含むことができる。
【００３２】
好ましくは、前記少なくとも１つの第１のパラメータを１つ又は複数の所定の閾値と比較し、前記少なくとも１つの第１のパラメータと前記１つ又は複数の所定の閾値との間の比較に基づいて、前記通知信号を生成するとさらに規定することができる。
【００３３】
好ましくは、前記少なくとも１つの第１のパラメータを求めることは、タイヤと水の層との間の相互作用を表す前記部分において、前記一次導関数の前記傾向線の絶対極小点の位置を特定することを含む。
【００３４】
好ましくは、前記少なくとも１つの第１のパラメータを求めることは、タイヤと水の層との間の相互作用を表す前記部分において、前記一次導関数の前記絶対極小点の前記位置のすぐ前に位置する２つの極大点として、前記第１及び前記第２の極大点を特定することを含む。
【００３５】
好ましくは、前記タイヤと前記水の層との間の相互作用を表す前記少なくとも１つの部分における前記半径方向加速度の平均を表す少なくとも１つの第２のパラメータを求めるために、前記加速度信号を処理するとさらに規定される。
【００３６】
前記アクアプレーン状態に関する前記通知信号は、前記少なくとも１つの第２のパラメータに応じて生成することができる。
【００３７】
好ましくは、前記少なくとも１つの処理モジュールは、フィルタ処理した加速度信号を生成するために、所定の周波数よりも低い周波数で、前記加速度信号をフィルタ処理するようにさらにプログラムを組み込むことができる。
【００３８】
或いは、前記少なくとも１つの処理モジュールは、
−前記加速度信号の調和分解から、高調波のうちの、高調波の所定の閾値よりも低い次数の部分を選択することと、
−高調波の前記選択した部分の調和合成を通じて、フィルタ処理した加速度信号を生成することと、
のために、前記加速度信号を処理するようにさらにプログラムを組み込むことができる。
【００３９】
好ましくは、前記少なくとも１つの処理モジュールは、前記一次導関数の前記傾向線を求めるために、前記フィルタ処理した加速度信号の傾きを計算するようにさらにプログラムを組み込むことができる。
【００４０】
好ましくは、前記少なくとも１つの処理モジュールは、前記少なくとも１つの第１のパラメータを１つ又は複数の所定の閾値と比較するようにさらにプログラムを組み込むことができる。
【００４１】
好ましくは、前記少なくとも１つの通知モジュールは、前記少なくとも１つの第１のパラメータと前記１つ又は複数の所定の閾値との間の比較に基づいて、前記通知信号を生成するのに適する。
【００４２】
好ましくは、前記少なくとも１つの処理モジュールは、タイヤと水の層との間の相互作用を表す前記部分において、前記一次導関数の前記傾向線の絶対極小点の位置を特定することで、前記少なくとも１つの第１のパラメータを求めるようにさらにプログラムを組み込むことができる。
【００４３】
好ましくは、前記少なくとも１つの処理モジュールは、タイヤと水の層との間の相互作用を表す前記部分において、前記一次導関数の前記絶対極小点の前記位置のすぐ前に位置する２つの極大点として、前記第１及び前記第２の極大点を特定することで、前記少なくとも１つの第１のパラメータを求めるようにプログラムを組み込まれる。
【００４４】
好ましくは、前記少なくとも１つの処理モジュールは、前記タイヤと前記水の層との間の相互作用を表す前記少なくとも１つの部分における前記半径方向加速度の平均を表す少なくとも１つの第２のパラメータを求めるようにさらにプログラムを組み込まれる。
【００４５】
好ましくは、前記少なくとも１つの通知モジュールは、前記少なくとも１つの第２のパラメータに応じて、前記アクアプレーン状態の前記通知信号を生成するのにさらに適する。
【００４６】
好ましくは、タイヤを装備した車両を制御する方法は、上記に説明したものに従って生成されたアクアプレーン状態の通知を受け取ることを含む。
【００４７】
好ましくは、通知信号に基づいて、少なくとも１つの車両制御システムを作動させると規定される。
【００４８】
好ましくは、車両は、上記に説明したものに従って、１つ又は複数の前記タイヤのアクアプレーン状態を信号で通知するシステムを含む。
【００４９】
好ましくは、車両は、少なくとも１つの車両制御システムを含む。
【００５０】
好ましくは、車両は、アクアプレーン状態に関する前記通知信号を受け取るのに適した少なくとも１つの受信モジュールを含む。
【００５１】
好ましくは、車両は、前記通知信号に基づいて、車両制御システムを作動させるように構成された少なくとも１つの作動モジュールを含む。
【００５２】
好ましくは、前記少なくとも１つの車両制御システムは、前記車両の横滑り防止システム及び／又は前記車両のトラクションコントロールシステムを含む。
【００５３】
本発明のいくつかの非限定的な例の詳細な説明から、さらなる特徴及び利点がより明らかになるであろう。
【００５４】
この説明は、添付図に関連して下記に提示され、これらの添付図も一例に過ぎず、したがって、限定するものではない。
【図面の簡単な説明】
【００５５】
図面の簡単な説明
【図１】水の層を含む転動面上を転動しているタイヤを概略的に示している。
【図２】本発明による、アクアプレーン状態を信号で通知するシステムの実現形態の簡略化したブロック図を示している。
【図３】実質的に乾燥した転動面上を転動するタイヤに対する半径方向加速度及びその一次導関数の傾向線の例を示している。
【図４】部分的なアクアプレーン状態において、水の層を含む転動面上を転動するタイヤに対する半径方向加速度及びその一次導関数の傾向線の、次第に速度を上げたいくつかの例の１つを示している。
【図５】部分的なアクアプレーン状態において、水の層を含む転動面上を転動するタイヤに対する半径方向加速度及びその一次導関数の傾向線の、次第に速度を上げたいくつかの例の１つを示している。
【図６】部分的なアクアプレーン状態において、水の層を含む転動面上を転動するタイヤに対する半径方向加速度及びその一次導関数の傾向線の、次第に速度を上げたいくつかの例の１つを示している。
【図７】部分的なアクアプレーン状態において、水の層を含む転動面上を転動するタイヤに対する半径方向加速度及びその一次導関数の傾向線の、次第に速度を上げたいくつかの例の１つを示している。
【図８】部分的なアクアプレーン状態において、水の層を含む転動面上を転動するタイヤに対する半径方向加速度及びその一次導関数の傾向線の、次第に速度を上げたいくつかの例の１つを示している。
【図９】部分的なアクアプレーン状態において、水の層を含む転動面上を転動するタイヤに対する半径方向加速度及びその一次導関数の傾向線の、次第に速度を上げたいくつかの例の１つを示している。
【図１０】完全なアクアプレーン状態において、転動面上を転動するタイヤに対する半径方向加速度の傾向線の第１の例を示している。
【図１１】完全なアクアプレーン状態において、転動面上を転動するタイヤに対する半径方向加速度の傾向線の第２の例を示している。
【発明を実施するための形態】
【００５６】
発明の例の詳細な説明
図１を参照すると、数字１は、車両ホイール用のタイヤを全体として示している。
【００５７】
タイヤ１は、リム（図示せず）に取り付けられ、次に、ハブ２に取り付けられる。タイヤ１は、ハブ２を用いて車両（図示せず）に取り付けられて、車両自体の移動を可能にする。検出装置３は、タイヤ１の内面のクラウン領域の一部分に固定され、タイヤ１の転動時に、検出装置３が固定されたタイヤ１のクラウン部分が受ける半径方向加速度を測定するのに適した加速度計を含む。検出装置３は、加速度計が測定した加速度測定生データを含む信号を生成することができる。
【００５８】
特に、検出装置３は、典型的には、（例えば、シアノアクリレート系の構造用接着剤によって、又は感圧接着剤によって）タイヤ１の内面に接着された固定装置を用いて、タイヤ１のライナに固定することができる。例えば、固定装置は、同じ出願人の名による国際公開第２０１５／０１９２８３号及び国際公開第２０１５／０１９２８８号に記載されている通りに作製することができる。好ましくは、検出装置３は、実質的に、タイヤ１の赤道面に固定することができる。タイヤ１の内面のより横方向の位置に、及び／又はタイヤ１の内周に沿った様々な角度位置にさらなる検出装置を配置することができる。
【００５９】
車両の移動中に、転動面５（例えば、地面）上を転動するタイヤ１は、転動面５自体に実質的に平行な長手方向に沿って移動する。
【００６０】
タイヤ１は、いわゆる接地領域４で転動面５と接触している。
【００６１】
転動面５にある水の層６は、タイヤ１と転動面５との間に挟まれている。
【００６２】
図１に概略的に示すように、水の層６が存在するために、タイヤ１は、地面との密着性が低下する（すなわち、転動面との接触面積が縮小する）ことがあり、アクアプレーン現象の兆候が現れることがある。特に、タイヤ１の下の水の層６の割り込み部はタイヤ１を変形させ、接地領域４の接触面積を小さくする。
【００６３】
タイヤ１と水の層６との間の相互作用は、タイヤ１を少なくとも部分的に持ち上げるので、接地領域４のうちの転動面と接触する部分が小さくなり（部分アクアプレーン状態）、密着性が部分的に低下する。さらにより危険な状態では、水の層６は、タイヤ１の下に完全に割り込み、したがって、タイヤ１は、転動面５との直接接触が全くない状態で（完全アクアプレーン状態）、水の層６上に「浮遊」し、結果として、密着性が全体的になくなる。これらの状態において、車両は、ハンドルの方向性能力、及び／又はトラクタホイールのトラクション能力、及び／又は制動能力を完全に失うことがある。
【００６４】
アクアプレーン現象の発現は、所与のタイヤに対して、水の層６の厚さ及び／又はタイヤ１の回転速度に依存し得る。
【００６５】
検出装置３に含まれる加速度計は、接地領域４の形成と、接地領域４自体内でのタイヤ１と水の層６との間の相互作用との両方の結果として、タイヤ１が受ける変形を測定することを可能にする。言い換えると、加速度計が検出した加速度測定データを含む、検出装置３が発する信号は、接地領域４を表す部分と、接地領域内で、タイヤ１と水の層６との間の相互作用を表す部分とを含む。
【００６６】
図２を参照すると、検出装置３は、タイヤのアクアプレーン状態を信号で通知するシステム１０内に含まれる。
【００６７】
システム１０は、検出装置３に動作可能に接続された処理モジュール７を含む。処理モジュール７は、タイヤの内部に配置することができるし、又は車両に配置することもでき、検出装置３が生成した信号を無線送信によって受け取ることができ、この信号は、処理に必要な加速度測定データを含む。或いは、加速度測定データを含む信号の処理の第１の部分は、タイヤ内に配置され、好ましくは検出装置３と一体化された第１の処理モジュールで行うことができ、精緻化の第２の部分は、車両に配置された第２の処理モジュールによって行うことができ、第２の処理モジュールは、信号処理の第２の部分に必要でありかつ第１の処理モジュールによって処理されたデータを、無線送信によって受け取ることができる。
【００６８】
処理モジュール７は、検出装置３が取り付けられたタイヤのアクアプレーン状態を表す１つ又は複数のパラメータを求めるために、検出装置３が検出した加速度測定データを含む信号を処理するようにプログラムを組み込まれている。特に、処理モジュール７は、加速度測定信号の一次導関数の傾向線を取得するために、加速度測定信号に対して傾き演算を行うようにプログラムを組み込まれている。
【００６９】
より詳細には、処理モジュール７は、低周波数フィルタ処理された加速度測定信号に対してこの傾き演算を行うようにプログラムを組み込めることが好ましい。
【００７０】
特に、低周波数フィルタ処理を用いて、及び／又は加速度測定信号の低次高調波の解析によって、タイヤ（又はタイヤライナ）のいわゆる「マクロ変形」、すなわち、接地領域のまわりの領域でタイヤの圧縮によって引き起こされる変形と、その変形が、水の層をタイヤが通過することでどのように変化するかとを観測することが可能である。言い換えると、低周波数フィルタ処理は、フィルタ処理された加速度測定信号を取得することを可能にし、このフィルタ処理された加速度測定信号では、タイヤと水の層との間の相互作用の結果としてタイヤが受ける変形を表す信号部分が明瞭に認識可能になる。
【００７１】
実施形態では、処理モジュール７は、前もって設定された周波数（例えば、７００Ｈｚ未満）で調整されたローパスフィルタを用いて、加速度測定信号をフィルタ処理するようにプログラムを組み込むことができる。好ましい代替の実施形態では、処理モジュール７は、加速度測定生信号の（例えば、フーリエ変換によって行われる）調和分解と、それに続く、所定の閾値よりも低い次数の高調波だけの再合成とを用いて、フィルタ処理された加速度測定信号を取得するようにプログラムを組み込まれる。例えば、半径方向加速度測定信号の調和分解は、通常、高調波のうちの第１高調波にごく近い部分に対する絶対極大点を含むので、上記の閾値は、第１高調波から、絶対極大点に対応する高調波の次の次数であるが、絶対極大点に対応する高調波から遠くない高調波（例えば、絶対極大点に対応する高調波に対して１０〜５０％のオフセットを有する高調波、又は絶対極大点の高さに対して１０〜５０％の高さに対応する高調波）までの高調波の部分を含むように定めることができる。
【００７２】
起こる可能性のあるタイヤのアクアプレーン状態を表す１つ又は複数のパラメータを求めるために、処理モジュールは、１つ又は複数の閾値ＴＲ１…ＴＲｎを使用することができる。
【００７３】
システム１０はまた、処理モジュール７に接続された通知モジュール８を含む。通知モジュール８は、処理モジュール７が求めた１つ又は複数のパラメータを受け取り、このパラメータ又はこれらのパラメータに応じて、アクアプレーン状態の通知信号ＳＮを生成するのに適する。この通知信号ＳＮは、車両の運転者に送られて、アクアプレーン現象の出現により車両自体がなり得る、可能性のある任意の危険状態についての警告を提示することができる。
【００７４】
それに加えて、又はそれに代えて、通知信号ＳＮは、車両がアクアプレーン状態にきわめて近い状態になるのを防止するために、自動車両制御システム（図示せず）に送られて、自動運転支援アクチュエータを作動させることができる。例えば、この制御システムは、横滑り防止システム（横滑り防止又はＥＳＣ、横滑り防止プログラム又はＥＳＰなど）を含むことができ、通知信号ＳＮの制御により作動することで、車両の速度を遅くすることができる。別の例では、制御システムは、トラクションコントロールシステムを含むことができ、通知信号ＳＮの制御により作動することで、エンジン出力及び／又はトラクタホイールハブに加えられるトラクショントルクを小さくすることができる。
【００７５】
実現可能な実施形態では、検出装置３は、タイヤのライナに固定され、一方、処理モジュール７及び通知モジュール８は、車両に取り付けられた制御ユニットに実装される。
【００７６】
検出装置３は、タイヤの半径方向に沿って加速度を測定できる加速度計と、加速度計が測定した半径方向加速度データを受け取る／管理することができ、所与のサンプリング周波数（通常は２ｋＨｚを超える）に応じて、半径方向加速度データを配列できるファームウェアモジュール又はハードウェアモジュール（例えば、特定用途向け集積回路又はＡＳＩＣ）と、バッテリ（及び／又は他の発電システム）と、約１ＧＨｚと１０ＧＨｚとの間の周波数帯域で（例えば、工業、科学、及び医療帯域若しくはＩＳＭ、又は超広帯域ベース送信若しくはＵＷＢによって）動作する無線送信機とを含む。
【００７７】
処理モジュール７及び通知モジュール８が実装された車載制御ユニットは、無線通信を通じて検出装置３によって送られたデータを受信することができる（したがって、検出装置３の送信機と同じ規格及び同じ周波数帯域に従って動作することができる）受信機を含む。処理モジュール７及び通知モジュール８は、ＣＰＵに接続されたメモリに格納されたソフトウェアモジュールとして実装される。閾値ＴＲ１…ＴＲｎも適切な構成で同じメモリに格納することができる。
【００７８】
本出願人は、様々な車両のタイヤに検出装置を固定して一連の試験を実施した。これらの検出装置は、タイヤのクラウン領域のうちのそのような検出装置が取り付けられた部分が転動時に受ける半径方向加速度を測定するように構成された加速度計を含む。タイヤに固定された装置は、車両上に配置された制御ユニットと無線接続され、処理モジュールは、検出装置からの加速度測定生データを受け取り、処理することができる。ＦＦＴ（高速フーリエ変換）による調和分解と、次の、ＦＦＴの絶対極大点の高さに対して２０％の高さに対応するポジションに位置する高調波よりも低い次数の高調波だけの再合成とを用いて、加速度測定生信号に対してフィルタ処理演算を行うように、制御ユニットの処理モジュールにプログラムを組み込んだ。半径方向加速度の一次導関数の傾向線を取得するために、フィルタ処理された加速度測定信号に対して傾き演算を行うように、制御ユニットの処理モジュールにさらにプログラムを組み込んだ。
【００７９】
図３〜９は、出願人によって製造され、アルファロメオ１５９車に取り付けられたタイヤＰ  Ｚｅｒｏ（商標）２３５／４０ ＺＲ１９を用いて得られたいくつかの試験結果を示している。特に、図は、ホイール半回転での半径方向加速度（連続曲線）とその一次導関数（破線曲線）との傾向線を示している。縦座標に示す値は、半径方向加速度に関して得られたものに数的に対応し、一方、一次導関数に関しては、縦座標に示す値は、１０００で除した値に対応する（そのため、両方の曲線は、同じグラフ上に示すことができる）。
【００８０】
より詳細には、図３は、タイヤのトレッドが水を完全に排出できて、すべての接地領域がアスファルト上にある状態を維持するように、３ｍｍの水の層上を低速でホイール半回転したときの半径方向加速度及びその一次導関数の傾向線を示し、図４〜９は、半径方向加速度及び加速度の一次導関数の傾向線を示し、各図は、３ｍｍの水の層上を順次速度を上げて（図４−４０ｋｍ／ｈ、図５−５０ｋｍ／ｈ、図６−６０ｋｍ／ｈ、図７−７０ｋｍ／ｈ、図８−８０ｋｍ／ｈ、図９−８５ｋｍ／ｈ）ホイール半回転したときのものである。
【００８１】
各図において、「Ｘ」記号は、半径方向加速度曲線及び一次導関数曲線との両方で、接地領域の始点及び終点を示している。これらの点は、半径方向加速度曲線の絶対極小点を特定するために、制御ユニットの処理モジュールにプログラムを組み込むことで得られた。
【００８２】
各図において、「○」記号は、アクアプレーン状態を表す第１のパラメータの導出に係わる一次導関数の傾向線の極値を示している。これらの点は、一次導関数曲線に関して、ａ）絶対極小点（接地領域からの出口点のすぐ前）と、ｂ）絶対極小点のすぐ前の第１の極大点と、第１の極大点のすぐ前であるが、接地領域の始点内の第２の極大点とを特定するために、制御ユニットの処理モジュールにプログラムを組み込むことで得られた。
【００８３】
一次導関数の各傾向線に対して、第１の極大点及び第２の極大点の高さを求めるように制御ユニットの処理モジュールにプログラムを組み込んだ。
【００８４】
乾燥面での動作に対応する図３から分かるように、半径方向加速度の一次導関数曲線は、接地領域に対応する部分内に１つの極大点しか有さない。
【００８５】
図４〜９では、その代わりとして、半径方向加速度曲線に関して、水の層との相互作用により、タイヤが受ける変形に対応する部分を認識することができる。相応して、速度が速くなるにつれて、（図にＡ、Ｂで示す）相対高さが変化する２つの極大点が、一次導関数の曲線上に出現する。特に、速度が速くなるにつれて、第２の極大点は、図８及び図９で第１の極大点高さを超えるまで、その大きさを増大させる。
【００８６】
これらの観察に基づいて、本出願人は、曲線のうちの接地領域に対応する部分にある、半径方向加速度の一次導関数の極大点の高さを比較することで、タイヤの部分アクアプレーン状態、すなわち、完全に乾燥した面上を移動する状態からの大きな隔たり、又は小さな隔たり、及び／又は完全なアクアプレーン状態で移動する状態からの大きな隔たり、又は小さな隔たりを表すパラメータを得ることが可能であると分かった。
【００８７】
特に、一次導関数の第１及び第２の極大点の高さ間の比率に基づく第１のパラメータＰ１を規定した。「低アクアプレーン」のレベルが、パラメータＰ１の低い値に対応することを保証するために、第２の極大点の高さＡが、第１の極大点の高さＢよりも小さい場合に、第１のパラメータＰ１は、比率Ａ／Ｂである。完全なアクアプレーン状態の達成は、漸近的な状態に相当し、タイヤは、漸近的な状態を越えて、水の層上で完全に「浮遊」するので、第２の極大点の高さＡが第１の極大点の高さＢ以上である場合に、パラメータＰ１は、（Ｎ−Ｂ／Ａ）になり、この場合に、Ｎは、１を超える任意の固定数であり、第１のパラメータＰ１が獲得可能な最大値を表す（実質的に、完全なアクアプレーン状態の達成に相当する）。
【００８８】
要約すると、制御ユニットの処理モジュールは、以下の通りに第１のパラメータＰ１を計算するようにプログラムを組み込まれ、
Ａ＜Ｂならば、Ｐ１＝Ａ／Ｂであり、
Ａ≧Ｂならば、Ｐ１＝Ｎ−Ｂ／Ａである。
【００８９】
こうして計算されたパラメータＰ１は、部分アクアプレーン状態、すなわち、接地領域の少なくとも一部が、なお転動面と接触する（且つ転動面上に存在する水の層と接触しない）アクアプレーン状態の「レベル」にそれぞれが対応する１つ又は複数の閾値ＴＲ１…ＴＲＮと比較することができる。
【００９０】
数量及び閾値ＴＲ１…ＴＲＮ間の相互間隔は、必要に応じて規定することができる。本出願人は、閾値の数量を３以上、好ましくは１０以下に規定するのが有益であると考える。これらの閾値は、互いの間は等間隔でよいし、又は、好ましくは等間隔でなくてもよい。
【００９１】
なお、第１のパラメータＰ１の上記の数式は、本発明を限定するものとみなすべきではない。半径方向加速度の一次導関数の２つの極大点の比較に基づく、例えば、極大点の高さ間の比率及び／又は差に基づく他の数式を同等に規定することができる。
【００９２】
図１及び図２に戻って、タイヤ１に固定された検出装置３によって検出された半径方向加速度信号の処理から、完全なアクアプレーン状態を検出することもできる。説明したように、この完全なアクアプレーン状態は、水の層６上でのタイヤ１の「浮遊」に相当する。
【００９３】
図１０及び図１１は、上記の試験中に検出された生の半径方向加速度曲線の２つの例を示しており、使用車両は水の層に投入され、タイヤは完全なアクアプレーン状態にある。特に、図１１は、図１０に示す対応する試験よりも高速で実施された試験に対応する。図１０及び図１１に示すように、接地領域の半径方向加速度は、タイヤの圧縮のために、乾燥面を移動する状態での又は部分アクアプレーン状態での半径方向加速度が通常とる実質的なヌル値にならない。したがって、これは、タイヤが水の層との相互作用の結果としてそれ自体変形しながら、接地領域の通常の形成とは異なる形で、水の層上で引き続き回転する状態に対応する。
【００９４】
相互作用領域でゼロを越えさえする加速度曲線を有する図１１で見て分かる結果は、相互作用領域のタイヤ面の逆湾曲を引き起こす、水の層とのそのように強い相互作用による変形によって説明することができる。
【００９５】
本出願人は、これらの観察に基づいて、タイヤのアクアプレーン状態を表す第２のパラメータＰ２を考案した。特に、図１０及び図１１に示すように、第２のパラメータＰ２は、水の層との相互作用を表す信号部分で半径方向加速度が取る平均値ΔＡＣＣＲとすることができる。好ましくは、ガウス曲線に従って、中心を起点として係数が小さくなる加重平均などの、相互作用を表す信号部分の中心を起点として重みが小さくなる加重平均が実施される。この加重平均は、水の層が存在することで最も影響を受ける部分である相互作用領域の最内部の加速度値を大きくすることを可能にする。次いで、値Ｐ２＝ΔＡＣＣＲ（又はその絶対値）は、半径方向加速度が、乾燥面上で動作する場合に取るヌル値から値Ｐ２を区別するために、前もって設定された閾値と比較することができる（図３に示すように）。好ましい実施形態では、パラメータＰ２は、接地領域の外で得られた平均角速度ωに対して正規化することができる。例えば、Ｐ２値を（「変形部分の半径」という物理的意味を有するパラメータである）ΔＡＣＣＲ／ω2として定めることが可能である。角速度に対して正規化することは、タイヤの回転速度に依存しない閾値と比較できるパラメータＰ２を取得することを可能にする。
【００９６】
パラメータＰ２を求め、完全なアクアプレーン状態を確定するために、システム１０の処理モジュール７の適切なプログラムを実行して、タイヤのアクアプレーン状態を示すことができる（図２）。
【００９７】
したがって、パラメータＰ１、Ｐ２の適切な組み合わせから、タイヤが転動中に水の層を横断するときに、タイヤが到達するアクアプレーン状態のレベルに関する目安を得ることが可能である。
【００９８】
例えば、Ｐ１及びＰ２パラメータの両方が実質的にヌル（すなわち、モジュールにおいてそれぞれの閾値よりも小さい）の場合に、タイヤは、実質的に乾燥した面を転動している、又はタイヤのトレッドは、転動面上の実質的にすべての水を効果的に排出するように機能していると結論づけることができる。パラメータＰ１がゼロとは異なる（すなわち、モジュールにおいて、閾値よりも大きい）場合に、パラメータＰ２が取る値にかかわらず、タイヤは、パラメータＰ１が取る値が大きいほど、高いレベルの部分アクアプレーン状態で転動していると結論づけることができる。パラメータＰ１がゼロである、又はパラメータＰ１が実質的にヌルである（すなわち、モジュールにおいて、閾値よりも小さい）が、Ｐ２が取る値がゼロとは実質的に異なる（すなわち、モジュールにおいて、閾値よりも大きい）場合に、タイヤは、完全なアクアプレーン状態で転動していると結論づけることができる。
【００９９】
パラメータＰ１、Ｐ２が取る値に応じて、通知モジュール８で最も適切な通知信号ＳＮを選択して（図２）、車両運転者に警告を出す、及び／又は自動車両制御システムを作動させることができる。
【０１００】
最後に、アクアプレーン状態を信号で通知するシステムは、単なる説明目的で、様々な機能を明らかにするためだけに、複数のモジュールに細分化して説明されたが、この細分化は、必ずしも信号による通知用システム自体のハードウェア構造を反映するとは限らない。特に、図２に示す様々なモジュールの少なくとも一部（例えば、処理モジュール７及び通知モジュール８）は、実際上、同じハードウェア装置に実装されたソフトウェアルーチンとすることができるし、又はさらに細分化されたハードウェア装置とすることもできることに留意されたい。
【図１】
2021507843.tif 000003
【図２】
2021507843.tif 000004
【図３】
2021507843.tif 000005
【図４】
2021507843.tif 000006
【図５】
2021507843.tif 000007
【図６】
2021507843.tif 000008
【図７】
2021507843.tif 000009
【図８】
2021507843.tif 000010
【図９】
2021507843.tif 000011
【図１０】
2021507843.tif 000012
【図１１】
2021507843.tif 000013
【国際調査報告】
2021507843.tif 000014
2021507843.tif 000015